(57)【要約】  アーカイブファイル（１５０）を、アプリケーション（１７５）がアーカイブファイル（１５０）の１つ又は複数のデータファイル（１４３〜１４６、１４９）と１つ又は複数のプリントファイル（１４８、１６１〜１６３）とを識別することを可能にする方法で作成する方法であって、マニフェストファイル（１３０）を生成すること、及びアーカイブファイル（１５０）にマニフェストファイル（１３０）を含めることを含む。マニフェストファイル（１３０）は、アプリケーション（１７５）に対し、アーカイブファイル（１５０）内における１つ又は複数のデータファイル（１４３〜１４６、１４９）に関連するファイル位置と、１つ又は複数のプリントファイル（１４８、１６１〜１６３）に関連するファイル位置とを指示する。
2007500399.tif 000002
【特許請求の範囲】
【請求項１】
アーカイブファイル（１５０）を、アプリケーション（１７５）が該アーカイブファイル（１５０）の１つ又は複数のデータファイル（１４３〜１４６、１４９）と１つ又は複数のプリントファイル（１４８、１６１〜１６３）とを識別することを可能にする方法で作成する方法であって、
マニフェストファイル（１３０）を生成すること、及び
前記アーカイブファイル（１５０）に前記マニフェストファイル（１３０）を含めること
を含み、
前記マニフェストファイル（１３０）は、前記アプリケーション（１７５）に対し、前記アーカイブファイル（１５０）内における前記１つ又は複数のデータファイル（１４３〜１４６、１４９）に関連するファイル位置と、前記１つ又は複数のプリントファイル（１４８、１６１〜１６３）に関連するファイル位置とを指示する、アーカイブファイルを作成する方法。
【請求項２】
前記アプリケーション（１７５）により、前記アーカイブファイル（１５０）からファイルを抽出することであって、該ファイルは、前記１つ又は複数のデータファイル（１４３〜１４６、１４９）、前記１つ又は複数のプリントファイル（１４８、１６１〜１６３）及び前記マニフェストファイル（１５０）を含む、抽出すること、
前記１つ又は複数のデータファイル（１４３〜１４６、１４９）を光ディスク（１００）に焼くこと、及び
前記１つ又は複数のプリントファイル（１４８、１６１〜１６３）に対応する内容をプリントすること
をさらに含む、請求項１に記載のアーカイブファイルを作成する方法。
【請求項３】
前記マニフェストファイル（１５０）の前記生成は、
記述子項目をファイル特定情報と結合すること
を含み、
前記アプリケーション（１７５）が前記マニフェストファイル（１５０）を読み出す時、前記記述子項目は、該アプリケーション（１７５）に対し、前記ファイルのいずれが前記１つ又は複数のデータファイル（１４３〜１４６、１４９）であるかと、前記ファイルのいずれが前記１つ又は複数のプリントファイル（１４８、１６１〜１６３）であるかとを指示する、請求項２に記載のアーカイブファイルを作成する方法。
【請求項４】
アーカイブファイル（１５０）を、アプリケーション（１７５）が該アーカイブファイル（１５０）の１つ又は複数のデータファイル（１４３〜１４６、１４９）と１つ又は複数のプリントファイル（１４８、１６１〜１６３）とを識別することを可能にする方法で作成する方法であって、
前記アーカイブファイル（１５０）において強制的なディレクトリ構造を使用すること
を含み、
前記強制的なディレクトリ構造は、前記アプリケーション（１７５）に対し、前記１つ又は複数のデータファイル（１４３〜１４６、１４９）に関連するファイル位置と、前記１つ又は複数のプリントファイル（１４８、１６１〜１６３）に関連するファイル位置とを指示する、アーカイブファイルを作成する方法。
【請求項５】
前記アプリケーション（１７５）により、前記アーカイブファイル（１５０）からファイルを抽出することであって、該ファイルは、前記１つ又は複数のデータファイル（１４３〜１４６、１４９）、及び前記１つ又は複数のプリントファイル（１４８、１６１〜１６３）を含む、抽出すること、
前記１つ又は複数のデータファイル（１４３〜１４６、１４９）を光ディスク（１００）に焼くこと、及び
前記１つ又は複数のプリントファイル（１４８、１６１〜１６３）に対応する内容をプリントすること
をさらに含む、請求項４に記載のアーカイブファイルを作成する方法。
【請求項６】
光ディスク（１００）に１つ又は複数のデータファイル（１４３〜１４６、１４９）を焼き、１つ又は複数のプリントファイル（１４８、１６１〜１６３）を使用して前記光ディスク（１００）に対応する内容をプリントするシステム（１７０）であって、
プロセッサ（１７１）と、
記憶ユニット（１７４）と、
光ディスクドライブ（１７３）と、
を具備し、
前記プロセッサ（１７１）は、前記記憶ユニット（１７４）に存在するアプリケーション（１７５）を実行することにより、アーカイブファイル（１５０）から、前記１つ又は複数のデータファイル（１４３〜１４６、１４９）、前記１つ又は複数のプリントファイル（１４８、１６１〜１６３）及びマニフェストファイル（１３０）を含むファイルを抽出するように構成され、
前記アプリケーション（１７５）は、前記マニフェストファイル（１３０）を使用して、前記１つ又は複数のプリントファイル（１４８、１６１〜１６３）から前記１つ又は複数のデータファイル（１４３〜１４６、１４９）を識別する、
光ディスクに１つ又は複数のデータファイルを焼き、１つ又は複数のプリントファイルを使用して前記光ディスクに対応する内容をプリントするシステム。
【請求項７】
システム（１７０）であって、
前記プロセッサ（１７１）が前記アプリケーション（１７５）を実行する前に、前記アーカイブファイル（１５０）をダウンロードするように構成される、請求項６に記載の光ディスクに１つ又は複数のデータファイルを焼き、１つ又は複数のプリントファイルを使用して前記光ディスクに対応する内容をプリントするシステム。
【請求項８】
光ディスク（１００）に１つ又は複数のデータファイル（１４３〜１４６、１４９）を焼き、１つ又は複数のプリントファイル（１４８、１６１〜１６３）を使用して前記光ディスク（１００）に対応する内容をプリントするシステム（１７０）であって、
プロセッサ（１７１）と、
記憶ユニット（１７４）と、
光ディスクドライブ（１７３）と、
を具備し、
プロセッサ（１７１）は、前記記憶ユニット（１７４）に存在するアプリケーションを実行することにより、アーカイブファイル（１５０）から、前記１つ又は複数のデータファイル（１４３〜１４６、１４９）及び前記１つ又は複数のプリントファイル（１４８、１６１〜１６３）を含むファイルを抽出し、前記アプリケーションは、前記アーカイブファイル（１５０）の強制的なディレクトリ構造に基づき、前記１つ又は複数のプリントファイル（１４８、１６１〜１６３）から前記１つ又は複数のデータファイル（１４３〜１４６、１４９）を識別する、光ディスクに１つ又は複数のデータファイルを焼き、１つ又は複数のプリントファイルを使用して前記光ディスクに対応する内容をプリントするシステム。
【請求項９】
プロセッサ（１７１）読取可能媒体であって、
アーカイブファイル（１５０）を生成する命令と、
マニフェストファイル（１３０）を生成する命令と、
前記アーカイブファイル（１５０）に前記マニフェストファイル（１３０）を含める命令と
を含み、
前記マニフェストファイル（１３０）は、アプリケーション（１７５）に対し、前記アーカイブファイル（１５０）内における、１つ又は複数のデータファイル（１４３〜１４６、１４９）に関連するファイル位置と、１つ又は複数のプリントファイル（１４８、１６１〜１６３）に関連するファイル位置とを指示する、プロセッサ読取可能媒体。
【請求項１０】
プロセッサ（１７１）読取可能媒体であって、
アプリケーション（１７５）によりアーカイブファイル（１５０）からファイルを抽出する命令であって、該ファイルは１つ又は複数のデータファイル（１４３〜１４６、１４９）、１つ又は複数のプリントファイル（１４８、１６１〜１６３）及びマニフェストファイル（１３０）を含む、抽出する命令と、
光ディスク（１００）に前記１つ又は複数のデータファイル（１４３〜１４６、１４９）を焼く命令と、
前記１つ又は複数のプリントファイル（１４８、１６１〜１６３）に対応する内容をプリントする命令と
を含み、
前記マニフェストファイル（１３０）は、前記アプリケーション（１７５）に対し、前記アーカイブファイル（１５０）内における、前記１つ又は複数のデータファイル（１４３〜１４６、１４９）に関連するファイル位置と、前記１つ又は複数のプリントファイル（１４８、１６１〜１６３）に関連するファイル位置とを指示する、プロセッサ読取可能媒体。
【発明の詳細な説明】
【背景技術】
【０００１】
光ディスクは、急速に、コンピュータ、ビデオ及び音楽の分野においてデータを格納するための業界標準となった。光ディスクには、限定されないが、種々のフォーマットのコンパクトディスク（ＣＤ）、デジタルビデオ（又は多用途）ディスク（ＤＶＤ）及びゲームシステムディスクがある。市販の光ディスクでは、通常、ディスクの一方の面にデジタルデータが記録され、ディスクの他方の面に視覚表示又はレーベルがプリントされる。
【０００２】
ディスクの両面にデータを格納することができる光ディスクも作成された。しかしながら、多くの場合、光ディスクデータをディスクの単一面に限定して、ディスクの他方の面をプリントされたテキスト、パターン又はグラフィックスのために残すことが望ましい。光ディスクの非データ面のプリントされたレーベル付けは、装飾的なデザイン、ディスクに格納されたデータを識別するテキスト、又はそれら両方を含むことができる。
【０００３】
光技術が進歩するに従い、書込可能光ディスク及び書換可能光ディスクは、それらディスクに書き込む機器と同様に、一般の消費者が入手できる妥当な価格になった。このため、多くの消費者が、今や、光ディスクドライブを有する家庭用コンピュータ又はオフィスコンピュータによって光ディスクにデータを焼くことができる。たとえば、消費者は、場合によっては、インターネット上のウェブサイトからＣＤデータ又はＤＶＤデータを購入し、そのデータを自身のＣＤ又はＤＶＤに焼く場合がある。
【０００４】
多くの消費者はまた、レーベル、歌詞カード、ユーザマニュアル、ケースインサート、ケースカバー、及び／又は消費者が光ディスクに焼く内容に関する他のプリント内容をプリントしたいと望む。現在消費者が利用可能な多くのプリント装置がある。たとえば、ディスクドライブによっては、ディスクに一定パターンでレーザを当てることによりディスクの光学特性を変更することによって、光ディスク上に直接レーベルをプリントすることができる。プリント内容をプリントするために使用してもよいさらなるプリント装置には、「ダイレクト・オン・ディスク（direct on disc）」プリンタと、従来のインクジェットプリンタ及びレーザプリンタとがある。
【０００５】
光ディスクにデータを格納する時、データは、そのデータを光ディスクに焼く光ディスクドライブを含むコンピュータ又は他のデバイスに送信される前に、単一の圧縮されたアーカイブファイルに圧縮されることが多い。アーカイブファイルには、光ディスクに焼かれるのではなくプリントされる内容を含む追加のファイルが含まれることが多い。コンピュータ上のアプリケーションは、アーカイブファイルを受け取った後、光ディスクにデータが焼かれる前にそのデータを解凍して抽出しなければならない。
【発明の開示】
【発明が解決しようとする課題】
【０００６】
しかしながら、多くの場合、アプリケーションが、アーカイブファイルにおける焼かれるべきデータを含むファイルとプリントされるべき内容を含むファイルとを識別することは困難であり又は不可能である。
【課題を解決するための手段】
【０００７】
［概要］
アーカイブファイルを、アプリケーションがアーカイブファイルの１つ又は複数のデータファイルと１つ又は複数のプリントファイルとを識別することを可能にする方法で作成する方法であって、マニフェストファイルを生成すること、及びアーカイブファイルにマニフェストファイルを含めることを含む。マニフェストファイルは、アプリケーションに対し、アーカイブファイル内における１つ又は複数のデータファイルに関連するファイル位置と、１つ又は複数のプリントファイルに関連するファイル位置とを指示する。
【０００８】
添付の図面は、本システム及び本方法のさまざまな実施形態を示し、且つ明細書の一部である。例示する実施形態は、単に本システム及び本方法の例であり、その範囲を限定するものではない。
【０００９】
図面を通して、同一の参照番号は、必ずしも同一ではないが同様の要素を示す。
【発明を実施するための最良の形態】
【００１０】
本明細書は、後続するアプリケーションがファイルを抽出しプリントファイルとデータファイルとを識別することができるような方法で、データファイルとともに１つ又は複数のプリントファイルをアーカイブするシステム及び方法について説明する。本方法により、抽出アプリケーションは、焼かれるべきデータファイルを内容のプリントに使用されるべきプリントファイルから手動で識別する必要なく、単一プロセスでデータを焼くこと、及び内容をプリントすることをともに処理することができる。
【００１１】
本明細書及び添付の特許請求の範囲で使用する「光ディスク」という用語は、音楽、画像、ビデオ、ビデオゲーム及び／又はソフトウェア等を記録するディスクを包含するように広く使用される。光ディスクは、限定されないがコンパクトディスク（ＣＤ）、コンパクトディスクリードオンリメモリ（ＣＤ−ＲＯＭ）、ミニディスク、さまざまなフォーマットのデジタルビデオ（又は多用途）ディスク（ＤＶＤ）及びさまざまなフォーマットのビデオゲームディスクを含む、書込可能記憶デバイス及び書換可能記憶デバイスを含むが、決してそれらには限定されない。
【００１２】
「プリント内容」又は「内容」は、任意のレーベル、ケースインサート、ケースカバー、歌詞カード、ユーザマニュアル、又はプリントされる光ディスクに関する他の内容として理解されるように意図されている。本明細書において且つ添付の特許請求の範囲において使用する「プリントファイル」は、特に示す場合を除き、アプリケーションが光ディスクに関する内容をプリントするために使用する任意のファイルを言うために使用する。
【００１３】
プリント内容の一般的な例はレーベルである。「レーベル」は、光ディスク等の物体上の任意のテキスト、プリントされたパターン、グラフィカルデザイン又はそれらの組合せを意味する。光ディスクにレーベルが付加される場合、そのレーベルは、通常、必ずしもではないが、光ディスクの一方の面にある。光ディスクの両面にレーベルがあることも可能である。「プリントされたパターン」は、物体上にその物体に対するレーベルの一部として存在する任意のテキスト、文字、語、記号又はキャラクタを意味する。「グラフィカルデザイン」は、物体の上にその物体に対するレーベルの一部として存在する任意のグラフィック又は画像を意味する。さらに、本明細書において且つ添付の特許請求の範囲において使用する「レーベルファイル」という用語は、光ディスクのレーベルを生成するために使用される特定のプリントファイルを言う。
【００１４】
図１は、例示的な実施形態による、２つの面のうちの一方にレーベルがある光ディスク（１００）の一例を示す。図１に示すように、光ディスク（１００）は、プリントされたパターン（１０１）及びグラフィカルデザイン（１０２）を含むレーベルを有してもよい。挿入図（１０３）は、光ディスク（１００）の個々のピクセル（１０６）が、プリント機構によりグラフィカルデザイン（１０２）を形成するために選択的に着色されたことを示す。
【００１５】
上述したように、光ディスクにレーベルをプリントするために採用してもよい複数のデバイスがある。１つのかかるデバイスは、光ディスクに選択的なパターンでレーザを当てる光ディスクドライブである。１つの例示的な実施形態によれば、レーザは、光ディスクにデータを焼くものと同じレーザであってもよい。光ディスクにレーザを当てることにより、光ディスクの露出部分の光学特性が変化し、その結果、視覚的に識別可能なパターンがもたらされる。レーザを使用して光ディスクにレーベル付けするために使用してもよい市販の製品には、決して限定されないが、ＣＤリード／ライト（ＲＷ）、追記型ＣＤ（ＣＤ−Ｒ）、ＤＶＤ−Ｒ又はＤＶＤ−ＲＷ等の光ディスクドライブがある。同様に、限定されないが、レーベル付けされ記録された光ディスクの大量生産に使用される大規模光ディスクレコーダを含む、光ディスクに書き込むことができる他の製品を使用してもよい。レーザを用いて光ディスクにラベル付けする方法のより詳細な説明は、本明細書の範囲を超えており、本明細書ではそれを行わない。
【００１６】
光ディスク（１００）にレーベルをプリントするために「ダイレクト・オン・ディスク」プリンタを使用してもよい。「ダイレクト・オン・ディスク」プリンタは、光ディスクの表面上に直接インクを選択的に堆積させるように構成された、インクジェットプリンタであってもよく、又は他のタイプのプリンタであってもよい。代替実施形態では、プリンタを使用して、レーベルを後に光ディスクに貼り付けることができるように接着要素が取り付けられた用紙に、所望のレーベルをプリントしてもよい。
【００１７】
図１に示すレーベルは、光ディスクに関連し得る多くのタイプのプリント内容の単なる一例である。単に説明を容易にするために、以下の説明を、光ディスクにレーベルを形成する文脈で述べる。しかしながら、上述したような光ディスクに関連する他のプリント内容を、本システム及び本方法に従って１つ又は複数のプリントファイルによって指定されるようにプリンタがプリントしてもよい、ということが理解されよう。
【００１８】
１つの例示的な実施形態によれば、光ディスクに焼かれるべきデータのタイプが異なっていてもよい。たとえば、ディスクに焼かれるデータは、ディスクイメージファイルであってもよい。ディスクイメージファイル（ディスクイメージとも呼ぶ）は、ディスク全体の正確なバイナリコピーである。このコピーされたディスクを、ディスクイメージファイルのソースであるため、「ソースディスク」とも呼ぶ。１つの例示的な実施形態によれば、ソースディスクは、光ディスク、ハードドライブ、フロッピー（登録商標）ディスク、又は電子データを格納する他の何らかのタイプの媒体であってもよい。ディスクイメージファイルは、ソースディスクに格納されたすべてのデータを含み、それには、そのファイル及びフォルダのみでなく、そのブートセクタ、ファイルアロケーションテーブル、ボリューム属性及び他の任意のシステム特有データが含まれる。ディスクイメージは生ディスクデータを含むため、ディスクが未知のフォーマットで書かれているか又は未知のオペレーティングシステム下で書かれている場合であっても、ディスクのイメージを作成することができる。この理由で、ディスクイメージは、光ディスク記録ソフトウェアにより、完全な光ディスクの内容を転送し格納するために広く使用される。
【００１９】
ディスクイメージファイルは、ソースディスクのディスクタイプによって異なるファイルフォーマットを有してもよい。たとえば、ＣＤイメージファイル及びＤＶＤイメージファイルは、ＩＳＯ９６６０ファイルフォーマットであってもよい。ＩＳＯは、国際標準化機構（International Organization for Standardization）を表し、ＣＤデータに対して開発された規格である。ＣＤイメージファイル及びＤＶＤイメージファイルは、ＩＳＯ−Ｊｏｌｉｅｔフォーマットであってもよい。ＩＳＯ−Ｊｏｌｉｅｔファイルフォーマットは、ＩＳＯ９６６０ファイルフォーマットの拡張である。逆に、ハードドライブイメージファイル及びフロッピー（登録商標）ディスクイメージファイルは、当業者には理解されるように、ＩＭＧ、ＩＭＡ又はＸＤＦファイルフォーマットであってもよい。したがって、本システム及び本方法に従って、いかなるファイルフォーマットのファイルをアーカイブしてもよい。
【００２０】
光ディスクに焼いてもよい他のタイプのデータには、個々の音声、ビデオ、ゲーム及び他のデータファイルがある。たとえば、ファイルは、ＭＰ３（Moving Picture Experts Group Layer-3）音声ファイル又はＤｉｖＸビデオファイルであってもよい。ゲームファイルの例には、限定されないが、Ｓｏｎｙ（商標）Ｐｌａｙｓｔａｔｉｏｎ（商標）、Ｎｉｎｔｅｎｄｏ（商標）Ｇａｍｅｃｕｂｅ（商標）及びＭｉｃｒｏｓｏｆｔ（商標）Ｘ−ｂｏｘ（商標）ファイルがある。１つの例示的な実施形態によれば、光ディスクにいかなるデータファイルを焼いてもよい。
【００２１】
同様に、プリントファイルのタイプが異なっていてもよい。たとえば、プリントファイルは、決して限定されないが、ビットマップ（ＢＭＰ）フォーマット、ＪＰＥＧ（Joint Photographic Experts Group）フォーマット、ＧＩＦ（Graphic Interchange Format）、テキストファイル又は他の任意のタイプのグラフィックファイルであってもよい。アプリケーションによっては２つ以上のプリントファイルがあってもよい、ということも理解されよう。
【００２２】
データファイル及びプリントファイルが、アーカイブされ、光ディスクにデータを焼き光ディスクに対応する内容をプリントするために後に使用される例示的なプロセスを、図２のフローチャートに示す。図２のステップは単に例示的なものであり、特定のアプリケーションに最もよく役立つように変更し又は順序を変えてもよい。図２に示すように、まず、データファイル及びプリントファイルをアーカイブして単一アーカイブファイルにする（ステップ１２０）。ファイルをアーカイブする例示的な方法については、後により詳細に説明する。データファイル及びプリントファイルのアーカイブを、例えば、パーソナルコンピュータ、サーバ、又はソフトウェアユーティリティを有するように構成された他の任意のデバイスにおけるスタンドアロンソフトウェアユーティリティによって実行してもよい。アーカイブファイルは、ウェブサーバに、社内データサーバに、家庭、学校又はオフィスのパーソナルコンピュータに、若しくはアーカイブファイルを格納することができる他の任意のデバイスに存在してもよい。
【００２３】
アーカイブファイルを、ＺＩＰ圧縮アルゴリズム等の圧縮アルゴリズムを使用して圧縮してもよい。例示的な実施形態により、任意の圧縮ユーティリティ又はアルゴリズムを使用してもよい。圧縮されたアーカイブファイルは、使用する空間をより小さくすることができ、ネットワーク上で伝送することが容易になることが多い。しかしながら、場合によっては、アーカイブファイルを圧縮する必要のない場合もある。これらの場合、圧縮は行わない。
【００２４】
アーカイブファイルに、コンピュータシステムがアーカイブファイルを容易に認識することができるように一意の拡張子を与えてもよい。たとえば、拡張子は、*.dar又は*.zipであってもよく、この場合、*は、「disc_contents」等の記述名である。アーカイブファイルに、いかなる一意の認識可能な拡張子を与えてもよい。
【００２５】
データファイル及びプリントファイルがアーカイブされると、消費者は、そのアーカイブファイルをダウンロードしてもよい（ステップ１２１）。消費者がＣＤ又はＤＶＤの完全な内容をダウンロードするのを可能にするウェブサイトにアクセスする場合等、消費者が光ディスクに焼くためにアーカイブファイルをダウンロードしたい可能性のある複数のシナリオがある。ＣＤ又はＤＶＤの完全な内容には、音声データファイルとともに、レーベル画像、歌詞カード及び／又はケースカバー画像を含むプリントファイルが含まれる場合がある。消費者は、パーソナルコンピュータに、若しくはデータを光ディスクに焼くように構成される他の任意のデバイス又はシステムに、アーカイブファイルをダウンロードしてもよい。本明細書及び添付の特許請求の範囲で使用する「システム」という用語は、特に示す場合を除き、任意のシステム、パーソナルコンピュータ、携帯情報端末（ＰＤＡ）、又は光ディスクにデータを焼くように構成されたアプリケーションを有する他のコンピューティングデバイスを言うために使用する。また、システムを、光ディスクに対応する内容をプリントするように構成してもよい。しかしながら、代替実施形態では、プリントファイルの内容をプリントする別個のプリンタをシステムに結合してもよい。
【００２６】
１つの例示的な実施形態によれば、アーカイブファイルを消費者が、インターネット、若しくは広域ネットワーク（ＷＡＮ）又はローカルアクセスネットワーク（ＬＡＮ）等の他の何らかのタイプのネットワークからダウンロードしてもよい。代替実施形態では、アーカイブファイルを他の何らかの形式で消費者に送信してもよい。たとえば、アーカイブファイルを、フロッピー（登録商標）ディスク又は光ディスクにコピーし、その後、光ディスクに焼きそれにレーベル付けするために使用されている消費者のシステムに手動でロードしてもよい。
【００２７】
消費者がアーカイブファイルをシステムにダウンロードすると、システム上のアプリケーションは、アーカイブファイルからデータファイル及びプリントファイルを抽出する（ステップ１２２）。抽出プロセスについては、後により詳細に説明する。１つの例示的な実施形態によれば、アプリケーションは、アーカイブファイルを認識しその内容を抽出するように構成された、システムで実行するプログラム又はユーティリティであってもよい。
【００２８】
アーカイブファイルからデータファイル及びプリントファイルが抽出されると、システムは、データファイルを光ディスクに焼き、プリントファイルの内容に従って内容をプリントする（ステップ１２３）。代替実施形態では、システムは、データファイルを光ディスクに焼いた後、接続されたプリンタに対しプリントファイルの内容に従って内容をプリントさせる。
【００２９】
ここで、アーカイブファイルを、システムがデータファイルとプリントファイルとを自動的に識別することができるような方法で生成する、例示的な方法について説明する。本明細書で説明するアーカイブ方法は、単に、システムがデータファイルとプリントファイルとを自動的に識別するのを可能にするために使用してもよい多くのアーカイブ方法の例であり、決して、本システム及び本方法を説明する方法に限定するものではない、ということが理解されよう。
【００３０】
１つの例示的な実施形態によれば、「マニフェスト」ファイルを生成し、アーカイブファイルにデータファイル及びプリントファイルとともに含める。マニフェストファイルは、データファイル及びプリントファイルにアーカイブファイル内の識別可能な位置を割り当てる或る種のメタデータ（すなわち、他のデータについて記述するデータ）である。言い換えれば、マニフェストファイルは、データファイル及びプリントファイルパスを、それらのフォーマット情報とともに提供する。アプリケーションは、マニフェストファイルに与えられた情報を使用して、いずれのファイルがデータファイルであるか、及びいずれのファイルがプリントファイルであるかを自動的に判断してもよい。ここで、マニフェストファイルについてより詳細に説明する。
【００３１】
マニフェストファイルを、複数のプログラミング言語又は構文法のうちの任意のものを使用して生成してもよい。例示的な言語は、拡張可能マークアップ言語（ＸＭＬ）である。ＸＭＬは、ユーザに対しユーザ自身のタグを作成させるワールドワイドウェブコンソーシアム（World Wide Web Consortium）規格である。ＸＭＬにより、マニフェストを、異なるアプリケーションに容易に適合させることができる。しかしながら、ＸＭＬは、本質的に単に例示的なものであり、限定するものではない。マニフェストファイルを生成するために、ＸＭＬの代わりにハイパーテキストマークアップ言語（ＨＴＭＬ）、Ｊａｖａ（登録商標）等の他の言語を使用してもよい。
【００３２】
ここで、図３を参照して、マニフェストファイルの例示的な要素を示す。当業者には、これらの要素が本質的に単に例示的なものであって限定するものではない、ということが理解されよう。それらを、特定のアプリケーションに最もよく役立つように変更し、名前を変更し、加え、又は減じてもよい。
【００３３】
図３は、複数の要素（１３１〜１４０）を含むマニフェストファイル（１３０）の一表現である。要素（１３１〜１４０）は、ファイル特定情報と結合されると、アプリケーションが、マニフェストファイル（１３０）が関連するアーカイブファイルの内容のタイプ及び量を確定することができるようにするさまざまな記述子項目を表す。
【００３４】
図３に示すように、例示的な要素のうちの１つには、「ディスク要件（DiskRequirements）」（１３１）というラベルが付されている。この要素は、関連するアーカイブファイルに対する最小限の光ディスク媒体要件に関する情報を保持する。この情報は、通常、アーカイブファイルが作成される時に自動的に確定される。
【００３５】
図３に示す別の例示的な要素は、「媒体タイプ（MediaType）」（１３２）である。この要素は、アーカイブが意図されている光ディスクのタイプを指定する。たとえば、この要素は、光ディスクがＣＤ、ＤＶＤ、ビデオゲームディスク等であると指定することができる。
【００３６】
別の例示的な要素は「サイズ（Size）」（１３３）である。この要素は、使用される光ディスクの物理的な直径を指定する。この情報を、レーベル付けプロセスで使用してもよい。
【００３７】
別の例示的な要素は「容量（Capacity）」（１３４）である。この要素は、アーカイブファイルにあるファイルを格納するための光ディスクの必要な容量を指定する。
【００３８】
別の例示的な要素は「ディスクデータ（DiskData）」（１３５）である。この要素は、光ディスクに焼かれる１つ又は複数のデータファイルに関する情報に対するホルダ(holder)である。
【００３９】
マニフェストファイル（１３０）の別の例示的な要素は「フォーマット（Format）」（１３６）である。この要素は、データのフォーマットを指定する。この要素は、データフォーマットが任意の規格フォーマットに準拠しているか否かを示すために使用される。
【００４０】
別の例示的な要素は「内容（Content）」（１３７）である。「内容」要素（１３７）は、データ内容項目を指定する。１つの例示的な実施形態によれば、内容要素はファイル名であってもよい。特定のアプリケーションに応じて、多くのデータファイル名があってもよく、又は単に単一ファイル名があってもよい。
【００４１】
別の例示的な要素は「プリントデータ（PrintData）」（１３８）である。「プリントデータ」要素（１３８）は、プリントされる可能性のある光ディスクに関連するプリントファイルに関する情報に対するホルダである。プリントファイルは、ビットマップファイル、テキストファイル、若しくは他の何らかのバイナリグラフィックス又はテキストファイルであってもよい。
【００４２】
別の例示的な要素は「パス（Path）」（１３９）である。「パス」要素（１３９）は、プリントされる特定のプリントファイルに対するパスを指定する。「パス」要素（１３９）は、１つの例示的な実施形態により、ディレクトリパス及びファイル名を含む。
【００４３】
別の例示的な要素は「フォーマット（Format）」（１４０）である。「フォーマット」要素（１４０）は、特定のプリントファイルのフォーマットを、それがファイル名及び拡張子から明らかでない場合に指定する。
【００４４】
ここで、マニフェストファイルの一例を、図４に関連して示す。図４は、データファイル（１４３〜１４６、１４９）及びプリントファイル（１４８、１６１〜１６３）を含むアーカイブファイル（１５０）の例示的なファイル構造を示す。図４に示すように、アーカイブファイル（１５０）は、さまざまなディレクトリ又はフォルダ（１４１、１４２、１４７）を含んでもよい。さまざまなタイプのファイルが、これらのディレクトリ又はフォルダ（１４１、１４２、１４７）の各々にあってもよい。たとえば、図４の例示的なアーカイブファイル（１５０）では、「音楽」ディレクトリ（１４２）に、ＭＰ３データファイル（１４３、１４４）及びＷＡＶデータファイル（１４５、１４６）がある。１つの例示的な実施形態によれば、ルートディレクトリ（１４１）を含む１つ又は複数のディレクトリにデータファイルがあってもよい。たとえば、「画像」ディレクトリ（１４７）において、「fun.bmp」（１４９）は、ビットマップファイルであるがデータファイルである。
【００４５】
同様に、１つの例示的な実施形態によれば、プリントファイルは、アーカイブファイル（１５０）のディレクトリのうちの任意のものに存在してもよい。たとえば、ファイル「Disc_label.bmp」（１４８）は、「画像」ディレクトリ（１４７）に位置するレーベルファイルである。ファイル「Cover_front.bmp」（１６１）及び「Cover_back.bmp」（１６２）は、光ディスクのケースカバーに対応するプリントファイルである。これらのケースカバーファイル（１６２、１６３）もまた、「画像」ディレクトリ（１４７）にある。ファイル「Artist_info.pdf」（１６３）は、同様に「画像」ディレクトリにある、光ディスクのインサートに対応するプリントファイルである。
【００４６】
アーカイブファイル（１５０）においてデータファイルからプリントファイルを識別することは困難であることが多い。たとえば、図４のファイル「fun.bmp」（１４９）は、光ディスクに焼かれるべきデータファイルである。データファイルからプリントファイルを識別する方法がなければ、システム又はユーザが「fun.bmp」（１４９）とプリントファイルを構成する他の画像ファイルとを識別することは困難であり又は不可能である。
【００４７】
図４のファイル構造は、単に例示の目的で示されており、アーカイブファイル（１５０）の多くの異なるあり得るファイル構造の単に一例である。当業者には理解されるように、ディレクトリの名前及び量は、アーカイブファイルの内容によって異なっていてもよい。１つの例示的な実施形態によれば、マニフェストファイルにより、システム上のアプリケーションは、迅速にプリントファイルの位置を特定しデータファイルから識別することができる。ここで、図４に示すアーカイブファイル（１５０）に対応する例示的なマニフェストファイルの要素を示す。
【００４８】
下の表１は、図４のアーカイブファイル（１５０）に対応するマニフェストファイルのいくつかの例示的な要素を示す。当業者には理解されるように、以下のサンプルコードは、単に例示の目的で示すものであり、それらの構文及び／又は内容を変更してもよい。下の例示的なサンプルコードは、ＸＭＬである。コードを提示した後にそのコードについて説明する。
【００４９】
【表１】
2007500399.tif 000003
【００５０】
表１において上に示したマニフェストファイルの部分は、データファイルがＭＰ３、ＷＡＶ及びビットマップフォーマットであることを示す。マニフェストファイルはまた、データファイルのパスを示す。さらに、マニフェストファイルは、アーカイブファイルが、ファイルを焼きＣＤにレーベル付けするために１２ｃｍ６４０メガバイト（ＭＢ）ＣＤが必要であることを示す。マニフェストファイルはまた、アーカイブファイルが４つのプリントファイルを含むことも示す。第１のプリントファイルは、「Disc_label.bmp」と呼ばれるレーベルファイルであり、「画像」ディレクトリに位置する。第２及び第３のプリントファイルは、ＣＤのケースカバーに対応するプリントファイルであり、「cover_front.bmp」及び「cover_back.bmp」と呼ばれる。第４のプリントファイルは、ＣＤのケースインサートに対応するプリントファイルであり、「artist_info.pdf」と呼ばれる。このように、アーカイブファイルにマニフェストファイルを含めることにより、アーカイブファイルにアクセスするアプリケーションは、アーカイブファイルのいずれのファイルがプリントファイルであるかをそれらのパスとともに自動的に判断することができる。同様に、マニフェストファイルをアーカイブファイルに含めることにより、アプリケーションは、アーカイブファイルのいずれのファイルがデータファイルであるかをそれらのパスとともに判断することができる。
【００５１】
図５は、アーカイブファイル（１５０）の別の例示的なファイル構造である。この例示的なアーカイブファイル（１５０）では、ディスク画像ファイル（１５１）はルートディレクトリ（１４１）にある。ディスク画像ファイル（１５１）は、「image.iso」と呼ばれる。図５の例示的なファイル構造には、１つのプリントファイルがある。このプリントファイルは、「画像」ディレクトリ（１４７）にあるレーベルファイルであり、「Disc_label.bmp」と呼ばれる。ここで、図５のアーカイブファイル（１５０）に対応する例示的なマニフェストファイルの要素のうちのいくつかを示す。
【００５２】
下の表２は、図５のアーカイブファイル（１５０）に対応する例示的なマニフェストファイルのいくつかの例示的な要素を示す。当業者には理解されるように、以下のサンプルコードは、単に例示の目的で示すものであり、それらの構文及び／又は内容を変更してもよい。下の例示的なサンプルコードはＸＭＬである。コードを提示した後にそのコードについて説明する。
【００５３】
【表２】
2007500399.tif 000004
【００５４】
表２に示すマニフェストファイルの部分は、データファイルがＩＳＯ−Ｊｏｌｉｅｔファイルフォーマットでありルートディレクトリに位置することを示す。マニフェストファイルはまた、アーカイブファイルが、ファイルを焼きＣＤにレーベル付けするために１２ｃｍ６４０メガバイト（ＭＢ）ＣＤが必要であることを示す。さらに、マニフェストファイルは、レーベルグラフィックが、「画像」ディレクトリに位置する「Disc_label.bmp」と呼ばれるビットマップファイルであることを示す。このように、アーカイブファイルにマニフェストファイルを含めることにより、システム上のアプリケーションは、レーベルファイルが、「画像」ディレクトリに位置する「Disc_label.bmp」であると自動的に判断することができる。さらに、アーカイブファイルにマニフェストファイルを含めることにより、アプリケーションは、アーカイブファイルのいずれのファイルがデータファイルであるかを判断することができる。
【００５５】
マニフェストファイルの名前は、特定のアプリケーションに最もよく役立つように変更してもよい。たとえば、マニフェストファイルに、「manifest.xml」又は他の何らかの名前を付してもよい。１つの例示的な実施形態によれば、マニフェストファイルの名前は、アーカイブファイルからファイルを抽出するアプリケーションによって認識可能である。
【００５６】
アーカイブファイルにおけるマニフェストファイルの位置もまた、特定のアプリケーションに最もよく役立つように変更してもよい。１つの例示的な実施形態によれば、マニフェストファイルは、アプリケーションがそれの位置をどこに特定すべきかが分るように、アーカイブファイルのルートディレクトリに位置する。代替実施形態によれば、マニフェストファイルは、アーカイブファイル内のいずれのディレクトリに位置してもよい。たとえば、図４の例示的なファイル構造では、マニフェストファイルは、「音楽」ディレクトリ（１４２）に位置してもよく又は「画像」ディレクトリ（１４７）に位置してもよい。マニフェストファイルがルートディレクトリ以外のディレクトリに位置する場合、ルートディレクトリの「ブート」ファイルを使用して、マニフェストファイルの位置を指してもよい。マニフェストファイルの位置を指すためにブートファイルを使用することにより、アプリケーションは、任意の名前で任意の場所に格納されたマニフェストファイルの位置を特定することができる。ブートファイルの使用は、本システム及び本方法において任意である。たとえば、マニフェストファイルの位置を指すためにブートファイルを使用せずに、マニフェストファイルに対し、アプリケーションがマニフェストファイルにのみ属しているものとして認識する特定の名前を与えてもよい。
【００５７】
図６を参照して、システムがデータファイルとプリントファイルとを自動的に識別するのを可能にする方法でアーカイブファイルを生成する代替方法について説明する。図６に示す例示的な実施形態によれば、アプリケーションが、データファイル及びプリントファイルがどこに位置するかを自動的に分るように、アーカイブファイルにおいて強制的なディレクトリ構造が使用される。
【００５８】
図６に示すように、アーカイブファイル（１５０）は、ルートディレクトリ（１４１）の下に２つのディレクトリ（１６５、１６６）を有する。１つの例示的な実施形態によれば、データファイル（１４３〜１４６、１４９）はすべて、アプリケーションが認識することができる１つのディレクトリ内に位置する。たとえば、データファイル（１４３〜１４６、１４９）はすべて、「データ（Data）」（１６５）と呼ばれるディレクトリに位置する。このため、「データ」（１６５）ディレクトリには、図６の例ではデータファイルである「fun.bmp」（１４９）が含まれる。さらに、プリントファイル（１４８）はそれ自体のディレクトリにある。図６に示す例では、プリントファイルは、「レーベル（Label）」（１６６）と呼ばれるディレクトリに位置する「Disc_label.bmp」（１４８）という名前が付されたレーベルファイルである。
【００５９】
データファイルを、データファイルのみを含むように指定された１つ又は複数のディレクトリに強制的に置くことにより、且つプリントファイルを、プリントファイルのみを含むように指定された１つ又は複数のディレクトリに強制的に置くことにより、アプリケーションは自動的に、プリントファイルの位置を特定し、且つそれらの位置により光ディスクに焼かれるべきデータファイルからプリントファイルを識別することができる。
【００６０】
図７は、アーカイブファイルを受け取り、その内容を抽出し、光ディスクにデータを焼き、光ディスクに関する内容をプリントする例示的なシステムを示す。図７に示すシステムは単に例示的なものであり、それを、特定のアプリケーションに最もよく役立つように変更してもよい。
【００６１】
図７に示すように、システム（１７０）は、メモリユニット（１７２）、光ディスクドライブ（１７３）及び記憶ユニット（１７４）に通信可能に結合されたプロセッサ（１７１）を含む。記憶ユニットは、たとえば、プロセッサ（１７１）が、アーカイブファイルからデータファイル及びプリントファイルを抽出し光ディスクドライブ（１７３）に対して光ディスク（１００）にデータを焼かせるように実行してもよいアプリケーション（１７５）を含む、ハードドライブであってもよい。アプリケーションはまた、光ディスクドライブ（１７３）又は接続されたプリンタ（１７６）に対し、アーカイブファイルの１つ又は複数のプリントファイルに基づいて光ディスク（１００）の内容をプリントさせてもよい。
【００６２】
図７に示すように、システム（１７０）は、データファイル及び１つ又は複数のプリントファイルを含むアーカイブファイルを受け取る。システム（１７０）は、インターネットからアーカイブファイルをダウンロードすることにより、又は上述した他の何らかの方法によりアーカイブファイルを受け取ってもよい。アーカイブファイルが受け取られると、プロセッサ（１７１）は、アーカイブファイルの内容を抽出するように構成されるアプリケーション（１７５）を実行する。アプリケーション（１７５）は、必ずしも記憶ユニット（１７４）に存在しない。１つの代替実施形態によれば、アプリケーション（１７５）は、ＣＤ等の光ディスクに存在してもよく、又はシステムのメモリ（１７２）に一時的に存在してもよい。
【００６３】
例示的な実施形態により、アーカイブファイルが圧縮されている場合、アプリケーション（１７５）は、アーカイブファイルを解凍してもよい。そして、アプリケーション（１７５）は、すでに上で説明した原理に従ってデータファイル及びプリントファイルを抽出する。そして、光ディスクドライブ（１７３）により、光ディスク（１００）にデータファイルを焼いてもよく、プリントファイルを使用して、レーベル、ケースカバー、ケースインサート又は光ディスク（１００）に関連する他の何らかの内容をプリントしてもよい。プリントを、光ディスクドライブ（１７３）によって実行してもよく、又は接続されたプリンタ（１７６）によって実行してもよい。
【００６４】
上述した説明は、本発明の実施形態を例示し説明するためにのみ提示した。それは、網羅的であるようにも、又は本発明を開示したいかなる厳密な形態にも限定するようには意図されていない。上記教示に鑑みて多くの変更及び変形が可能である。本発明の範囲は以下の特許請求の範囲によって定義される、ということが意図されている。
【図面の簡単な説明】
【００６５】
【図１】１つの例示的な実施形態による、面のうちの一方にレーベルがある光ディスクを示す図である。
【図２】１つの例示的な実施形態による、データファイル及びプリントファイルが、アーカイブされ、後に光ディスクにデータを焼き光ディスクに対応する内容をプリントするために使用されるプロセスを示すフローチャートである。
【図３】１つの例示的な実施形態によるマニフェストファイルの表現である。
【図４】１つの例示的な実施形態によるデータファイル及びプリントファイルを含むアーカイブファイルのファイル構造を示す図である。
【図５】１つの例示的な実施形態によるプリントファイル及びディスク画像ファイルを含むアーカイブファイルの追加のファイル構造を示す図である。
【図６】１つの例示的な実施形態による強制的なファイル構造を示す図である。
【図７】１つの例示的な実施形態による、アーカイブファイルを受け取り、その内容を抽出し、光ディスクにデータを焼き、光ディスクに関する内容をプリントするように構成されたシステムを示す図である。
【図１】
2007500399.tif 000005
【図２】
2007500399.tif 000006
【図３】
2007500399.tif 000007
【図４】
2007500399.tif 000008
【図５】
2007500399.tif 000009
【図６】
2007500399.tif 000010
【図７】
2007500399.tif 000011
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
アーカイブファイルを、アプリケーションが該アーカイブファイルの、光ディスクに焼かれるべき１つ又は複数のデータファイルと、プリントされるべき内容を含む１つ又は複数のプリントファイルとを識別することを可能にする方法で作成する方法であって、
マニフェストファイルを生成することと、
前記アーカイブファイルに前記マニフェストファイルを含めることと
を含み、
前記マニフェストファイルは、前記アプリケーションに対し、前記アーカイブファイル内における前記１つ又は複数のデータファイルに関連するファイル位置と、前記１つ又は複数のプリントファイルに関連するファイル位置とを示す、アーカイブファイルを作成する方法。
【請求項２】
前記アプリケーションにより、前記アーカイブファイルから、前記１つ又は複数のデータファイルと前記１つ又は複数のプリントファイルと前記マニフェストファイルとを含むファイルを抽出することと、
前記１つ又は複数のデータファイルを光ディスクに焼くことと、
前記１つ又は複数のプリントファイルに対応する内容をプリントすることと
をさらに含む、請求項１に記載のアーカイブファイルを作成する方法。
【請求項３】
前記マニフェストファイルの前記生成は、
記述子項目をファイル特定情報と結合すること
を含み、
前記アプリケーションが前記マニフェストファイルを読み出す時、前記記述子項目は、該アプリケーションに対し、前記ファイルのいずれが前記１つ又は複数のデータファイルであるかと、前記ファイルのいずれが前記１つ又は複数のプリントファイルであるかとを示す、請求項２に記載のアーカイブファイルを作成する方法。
【請求項４】
アーカイブファイルを、アプリケーションが該アーカイブファイルの、光ディスクに焼かれるべき１つ又は複数のデータファイルと、プリントされるべき内容を含む１つ又は複数のプリントファイルとを識別することを可能にする方法で作成する方法であって、
前記アーカイブファイルにおいて強制的なディレクトリ構造を使用すること
を含み、
前記強制的なディレクトリ構造は、前記アプリケーションに対し、前記１つ又は複数のデータファイルに関連するファイル位置と、前記１つ又は複数のプリントファイルに関連するファイル位置とを示す、アーカイブファイルを作成する方法。
【請求項５】
前記アプリケーションにより、前記アーカイブファイルから、前記１つ又は複数のデータファイルと前記１つ又は複数のプリントファイルとを含むファイルを抽出することと、
前記１つ又は複数のデータファイルを光ディスクに焼くことと、
前記１つ又は複数のプリントファイルに対応する内容をプリントすることと
をさらに含む、請求項４に記載のアーカイブファイルを作成する方法。
【請求項６】
光ディスクに１つ又は複数のデータファイルを焼き、１つ又は複数のプリントファイルを使用して前記光ディスクに対応する内容をプリントするシステムであって、
プロセッサと、
記憶ユニットと、
光ディスクドライブと、
を具備し、
前記プロセッサは、前記記憶ユニットに存在するアプリケーションを実行することにより、アーカイブファイルから、前記１つ又は複数のデータファイルと前記１つ又は複数のプリントファイルとマニフェストファイルとを含むファイルを抽出するように構成され、
前記アプリケーションは、前記マニフェストファイルを使用して、プリントされるべき内容を含む前記１つ又は複数のプリントファイルから、光ディスクに焼かれるべき前記１つ又は複数のデータファイルを識別する、システム。
【請求項７】
前記プロセッサが前記アプリケーションを実行する前に、前記アーカイブファイルをダウンロードするように構成される、請求項６に記載のシステム。
【請求項８】
光ディスクに１つ又は複数のデータファイルを焼き、１つ又は複数のプリントファイルを使用して前記光ディスクに対応する内容をプリントするシステムであって、
プロセッサと、
記憶ユニットと、
光ディスクドライブと、
を具備し、
プロセッサは、前記記憶ユニットに存在するアプリケーションを実行することにより、アーカイブファイルから、前記光ディスクに焼かれるべき前記１つ又は複数のデータファイル及びプリントされるべき内容を含む前記１つ又は複数のプリントファイルを含むファイルを抽出し、前記アプリケーションは、前記アーカイブファイルの強制的なディレクトリ構造に基づき、前記１つ又は複数のプリントファイルから前記１つ又は複数のデータファイルを識別する、システム。
【請求項９】
アーカイブファイルを生成する命令と、
マニフェストファイルを生成する命令と、
前記アーカイブファイルに前記マニフェストファイルを含める命令と
を含み、
前記マニフェストファイルは、アプリケーションに対し、前記アーカイブファイル内における、光ディスクに焼かれるべき１つ又は複数のデータファイルに関連するファイル位置と、プリントされるべき内容を含む１つ又は複数のプリントファイルに関連するファイル位置とを示し、それにより前記アプリケーションが前記１つ又は複数のプリントファイルから前記１つ又は複数のデータファイルを識別することができるようにする、プロセッサ読取可能媒体。
【請求項１０】
アプリケーションによりアーカイブファイルからファイルを抽出する命令であって、該ファイルは１つ又は複数のデータファイル、１つ又は複数のプリントファイル及びマニフェストファイルを含む、抽出する命令と、
前記アプリケーションにより、前記１つ又は複数のプリントファイルから前記１つ又は複数のデータファイルを識別する命令と、
光ディスクに前記１つ又は複数のデータファイルを焼く命令と、
前記１つ又は複数のプリントファイルに対応する内容をプリントする命令と
を含み、
前記マニフェストファイルは、前記アプリケーションに対し、前記アーカイブファイル内における、前記１つ又は複数のデータファイルに関連するファイル位置と、前記１つ又は複数のプリントファイルに関連するファイル位置とを示す、プロセッサ読取可能媒体。
【国際調査報告】
2007500399.tif 000012
2007500399.tif 000013